(57)【要約】【課題】テレビのオンまたは門扉や玄関の鍵が開錠により、メッセージ送信装置からメッセージを送信することでは、帰宅者を特定できない上に、泥棒であっても通知するため、受信者が都度、確認をおこなわなければならない。【解決手段】非接触の情報カード３Ａのデータを読込む読取手段１１と、読取手段１１で読み込まれたデータが正しいかどうか判定する判定手段１２と、判定手段１２で正常と判断した場合に非接触の情報カード３Ａの持ち主が帰宅したことを通知する帰宅通知手段２６とを備え、帰宅した際に読取手段１１に非接触の情報カード３Ａを読込ませることで予め決めた通知先へ誰が帰宅したかを知らせ、誰がいつ帰宅したかを正確に知ることができる。【選択図】図１
2006227860.tif 000002
【特許請求の範囲】
【請求項１】
非接触情報カードを利用した入室検知をおこなう通知システムであって、非接触情報カードのデータを読込む読取手段と、前記読取手段で読み込まれたデータが正しいかどうか判定する判定手段と、前記判定手段で正常と判断した場合に非接触情報カードの持ち主が入室したことを通知する入室通知手段と、前記判定手段で判定した判定結果データと時刻データを蓄積する入室データ蓄積手段と、前記入室データ蓄積手段から算出された入室時間帯分布から例外が発生した場合に例外者または事前に決めた通知者へ通知をおこなう例外者通知手段とを備えた通知システム。
【請求項２】
扉に設けた錠前装置の施開錠信号を取り込む施開錠状態入力手段と、非接触情報カードのデータを読込む読取手段と、前記読取手段で読み込まれたデータが正しいかどうか判定する判定手段と、前記施開錠状態入力手段の状態が変化してから一定時間内に前記判定手段で正常判定されない場合に異常通知をおこなう異常通知手段とを備えた通知システム。
【請求項３】
非接触情報カードを携帯電話に設け、前記非接触情報カードのデータを読込む読取り手段を前記携帯電話の充電器に備え、前記充電器に前記携帯電話を接続することで前記非接触情報カードのデータを読込むことを特徴とする請求項１または２記載のいずれか１項に記載の通知システム。
【請求項４】
請求項１から３いずれか１項記載の通知システムの少なくとも一部をコンピュータに実行させるためのプログラム。
【発明の詳細な説明】
【技術分野】
【０００１】
本発明は、非接触情報カードを利用し、利用者が家や部屋に入った場合、また利用者外の人が入った場合に利用者へ通知する通知システムおよびそのプログラムに関する。
【背景技術】
【０００２】
従来の通知システムとして、例えば家に入ったことを知らせるシステムとして、図５で示すような帰宅通知装置及び帰宅通知方法があった（例えば特許文献１）。この特許文献１の例について図５を用いて説明する。
【０００３】
図４において、テレビジョン１、電源接続検出装置２、メッセージ送信装置３、通信網４、ポケベル（登録商標）５から構成されている。
【０００４】
以下に、その動作について説明する。帰宅メッセージの受信者はポケベル（登録商標）５を携帯する。電源接続検出装置２は、テレビジョン１の電源を監視している。電源接続検出装置２は、テレビジョンの電源が投入されると、メッセージ送信装置３にメッセージ送信を指示する。メッセージ送信装置３は、通信網４を通して、ポケベル（登録商標）５にメッセージを送信する。この結果、ポケベル（登録商標）５が鳴る。
【０００５】
以上によって、メッセージ受信者は、テレビジョン１の電源が投入されたことからメッセージ受信者は帰宅したことを知ることができる。
【０００６】
この帰宅通知装置とその方法は、電話やポケベル（登録商標）を使用することができない子供であっても、テレビジョンの電源を入れるなどの日常的なことは可能である特性を利用している。これにより、子供は通信装置の使用方法を学習しなくても、保護者に自分が帰宅したことを通知することができる。
【０００７】
また、帰宅通知装置とこの方法は、生活習慣を利用しているので、帰宅の連絡の通知することを忘れてしまっていても、日常的な生活を行っていれば、自動的にメッセージが通知されるという利点もある。
【特許文献１】特開２００１−１５６９２８号公報
【発明の開示】
【発明が解決しようとする課題】
【０００８】
しかしながら、上述した帰宅通知装置及び帰宅通知方法では、宅内のテレビジョンの電源の状態を監視し、テレビジョンのオンまたは門扉や玄関の鍵が開錠された場合に、メッセージ送信装置からメッセージを送信し、受信者に帰宅を知らせるが、帰宅した者が家族関係者であるか泥棒等の侵入者であるかわからず、侵入者が帰宅したと誤解する恐れがある。また、家族関係者であっても誰が帰宅しているかの判別がつかないという問題があった。
【０００９】
本発明は、前記従来の課題を解決するもので、帰宅に限らず、不在時に侵入者であるかどうかその部屋の家主やオフィスの関係者であるかどうかを容易で正確に判定し、入室したかどうか侵入者かどうかを判定できる通知システムおよびそのプログラムを提供することを目的とする。
【課題を解決するための手段】
【００１０】
上記課題を解決するために、本発明においては、非接触情報カードを利用した入室検知をおこなう通知システムであって、非接触情報カードのデータを読込む読取手段と、前記読取手段で読み込まれたデータが正しいかどうか判定する判定手段と、前記判定手段で正常と判断した場合に非接触情報カードの持ち主が入室したことを通知する入室通知手段と、前記判定手段で判定した判定結果データと時刻データを蓄積する入室データ蓄積手段と、前記入室データ蓄積手段から算出された入室時間帯分布から例外が発生した場合に例外者または事前に決めた通知者へ通知をおこなう例外者通知手段とを備える構成とした。
【００１１】
これによって、非接触情報カードを持った利用者が入室後、読取手段に非接触情報カードを近接することで、入室時刻データと判定結果データを入室データ蓄積手段で蓄積し、前記入室データ蓄積手段で算出された入室時間帯分布から例外が発生した場合に、例外者または事前に決めている通知者へ通知することとなり、非接触情報カードを持っている関係者が入室したことを通知受信者が容易に把握することができる。
【発明の効果】
【００１２】
以上で説明したように、本発明によれば、非接触情報カードを利用し、宅内や部屋内で前記非接触情報カードのデータを読取り、通常入室時間帯を入室データ蓄積手段で把握し、例外が発生した場合に、例外者または事前に決めた通知者に通知することで、例外者が日常の入室時間を過ぎても入室しない場合、例外者と事前に決めた通知者がお互いに確認をすることができる。例えば家の入室（帰宅）を通知する場合には、その通知により安否を例外者が事前に決めた通知者や通知したい人へ連絡することを促す事ができるという利便性に優れている。
【発明を実施するための最良の形態】
【００１３】
第１の発明は、非接触情報カードを利用した入室検知をおこなう通知システムであって、非接触情報カードのデータを読込む読取手段と、前記読取手段で読み込まれたデータが正しいかどうか判定する判定手段と、前記判定手段で正常と判断した場合に非接触情報カードの持ち主が入室したことを通知する入室通知手段と、前記判定手段で判定した判定結果データと時刻データを蓄積する入室データ蓄積手段と、前記入室データ蓄積手段から算出された入室時間帯分布から例外が発生した場合に例外者または事前に決めた通知者へ通知をおこなう例外者通知手段とを備えることにより、入室データ蓄積手段で日常の入室時間帯を把握しており、その入室時間帯外に時刻が経過した場合に通常の予定外と判断して対象者および事前に決めた通知者に通知することとなる。対象者が日常の入室時間を過ぎても入室しない場合、対象者と通知者がお互いに確認をすることができ、例えば家の入室（帰宅）を通知する場合には、その通知により安否を対象者が通知者へ連絡することを促す事ができる。
【００１４】
第２の発明は、扉に設けた錠前装置の施開錠信号を取り込む施開錠状態入力手段と、非接触情報カードのデータを読込む読取手段と、前記読取手段で読み込まれたデータが正しいかどうか判定する判定手段と、前記施開錠状態入力手段の状態が変化してから一定時間内に前記判定手段で正常判定されない場合に異常通知をおこなう異常通知手段とを備えることにより、施開錠状態入力手段の開錠信号から一定時間内に非接触情報カードの正しいデータが読込まれることで入室者が正規の登録者でかつ開錠したことが判定できることとなり、非接触情報カードのデータが異常の場合または入力がない場合に異常者が侵入していることを特定し、異常通知手段で確実に知ることができる。
【００１５】
第３の発明は、第１〜２の発明のいずれか１つの発明の通知システムにおいて、非接触情報カードを携帯電話に設け、前記非接触情報カードのデータを読込む読取手段を前記携帯電話の充電器に備えることにより、利用者が入室後、携帯電話を充電器に置くことで非接触情報カードのデータを読取手段で読取ることとなり、利用者が意識せずに容易に非接触情報カードのデータを読取ることができるとともに充電器の電源を利用して読取手段を動作させることができ、部品の共用利用が可能となり生産性、経済性に優れている。
【００１６】
第４の発明は、特に、第１〜３の発明のいずれか１つの発明の通知システムの少なくとも一部をコンピュータに実行させるためのプログラムである。そして、プログラムであるので、電気・情報機器、コンピュータ、サーバー等のハードリソースを協働させて本発明の通知システムの少なくとも一部を容易に実現することができる。また記録媒体に記録したり通信回線を用いてプログラムを配信したりすることでプログラムの配布・更新やそのインストール作業が簡単にできる。
【００１７】
以下、本発明の実施の形態について、図面を参照しながら説明する。なお、この実施の形態によって本発明が限定されるものではない。
【００１８】
（実施の形態１）
図１は本発明の実施の形態１の通知システムの構成図を示すものである。入室の一例として、自宅へ帰宅した場合で説明する。
【００１９】
図１において、家庭内９Ａに設置した非接触情報カード３Ａの情報の読取手段１１により、利用者が帰宅時に非接触情報カード３Ａを読取手段１１に読取りさせることで、事前に登録していた利用者が帰宅したかどうかを正確に確認する通知システムである。
【００２０】
システムの構成は、携帯電話３１に貼られた非接触情報カードとなるＩＣタグ３Ａ、携帯電話３１を充電するための充電器１Ａから構成される。無線通信４Ａで通信制御装置２Ａと通信をおこない、ＡＤＳＬモデムルータ５Ａを介してインターネット網６Ａに接続し、センター装置７Ａおよび宅外の携帯電話８Ａと通信を行う。
【００２１】
充電器１Ａは、携帯電話３１の充電機能以外に、ＩＣタグ３Ａの情報を読取る読取手段１１、読取手段１１のデータが正常であるかどうか判断する判定手段１２、宅内の無線通信４Ａを介して通信制御装置２Ａの機器通信部２１と通信をおこなう機器通信部１３とから構成される。
【００２２】
通信制御装置２Ａは、充電器１Ａと無線通信４Ａをおこなう機器通信部２１、各機能を制御する制御部２２、宅外の通信をおこなう外部通信部２３、ＩＣタグ３Ａに登録したアドレスと利用者の情報を登録する登録手段２４、ＩＣタグ３Ａの判定結果データ２５１と時刻データ２５２とから帰宅時間の分布を作成し、例外が発生したかどうかを判定する例外判定手段２５３、判定結果データ２５１と時刻データ２５２および例外判定手段２５３で例外判定したデータを蓄積する帰宅データ蓄積手段２５、帰宅データ蓄積手段２５の正常データから帰宅者が誰であるかを事前に決めておいた宅外の携帯電話８Ａへ通知する帰宅データ通知手段２６１と、帰宅データ蓄積手段２５の例外判定手段２５３で例外と判定した場合に例外者が誰であるかを事前に決めておいた宅外の携帯電話８Ａへ通知する例外者通知手段２６２とからなる帰宅通知手段２６とから構成される。
【００２３】
次に、このような構成の通知システムの動作、作用について図３のフローチャートを用いて説明する。
【００２４】
図１に示すように、ＩＣタグ３Ａを搭載した携帯電話３１を利用者が帰宅時に充電器１Ａに接続することにより読取手段１１にＩＣタグ３Ａの情報（アドレス）を読取り（フローチャートＳ２）、判定手段１２で読取手段１１から読取ったデータにエラー（誤り）または欠落、電文のフォーマットが異常になっていないかを電文解析し、事前登録されている登録者データと一致していた場合に正常、不一致またはデータ入力が無いなら異常と判定し（フローチャートＳ３）、その判定結果を機器通信部１３から無線通信４Ａを介して通信制御装置２Ａの機器通信部２１へ送る（フローチャートＳ４）。
【００２５】
次に機器通信部２１で受信したＩＣタグ３Ａの判定データを制御部２２で登録者データとの一致、不一致判定結果から判定処理を決定し、不一致またはデータ入力が無いとして異常判定となった場合は、事前に決めていた通知者へ通知をおこない（フローチャートＳ５）、正常判定となった場合は、帰宅データ蓄積手段２５で判定結果データ２５１として蓄積する。その判定結果データ２５１とともに蓄積時の時刻を時刻データ２５２として蓄積し、判定結果データ２５１と時刻データ２５２が対になって保持する（フローチャートＳ６）。
【００２６】
例外判定手段２５３では、保持するデータから帰宅者別の帰宅時刻分布を作成し（フローチャートＳ７）、一定時間の時間帯を分布条件とし、その時間帯外になっても帰宅しない場合に例外発生として判定する（フローチャートＳ８）。
【００２７】
さらに、例外判定手段２５３で例外と判定した場合に（フローチャートＳ８）、登録手段２４で登録されたＩＣタグ３Ａのアドレスと利用者情報から例外者が誰であるかを確認し、帰宅通知手段２６で事前に決めた通知先の携帯電話８Ａおよびセンター装置７Ａに通知する（フローチャートＳ１０）。
【００２８】
また、判定結果データ２５１から帰宅者が誰かを登録手段２４で確認し、帰宅データ通知手段２６１により事前に決めた通知先の携帯電話８Ａおよびセンター装置７Ａに通知する（フローチャートＳ９）。
【００２９】
通知時に制御部２２を介して外部通信部２３からＡＤＳＬモデムルータ５Ａを介してインターネット網６Ａにより、携帯電話８Ａおよびセンター装置７Ａに通知する。
【００３０】
なお、ここではＡＤＳＬモデムルータ５Ａとしたが光通信としても同じである。宅内の通信を無線通信としたが、有線であっても同じである。また、非接触情報カードをＩＣタグとしたがＩＣカード、ＩＣチップとしても同じであり、携帯電話３１の表面にシールとして貼付けまたは内蔵する方法でもよい。
【００３１】
また、読取手段１１、判定手段１２、機器通信部１３を充電器１Ａに内蔵したが、単独の読取装置として設置することでもよい。
【００３２】
また、帰宅通知手段２５で宅外の携帯電話８Ａに通知する場合にＥメールで通知しても同じであり、帰宅通知手段２５からセンター装置７Ａにデータ送信をおこない、センター装置７Ａに携帯電話８Ａから問い合わせまたはＷｅｂ画面上から通知内容を確認することでも容易に同様の通知が可能である。
【００３３】
また、ここでは、利用者が帰宅したかどうかの通知システムとして説明をおこなったが、自宅に限らず、オフィスなどにおいても事務室などに入ったことを通知するシステムに応用できる。帰宅データ蓄積手段２５を入室データ蓄積手段、帰宅通知手段２６を入室通知手段、帰宅データ通知手段２６１を入室データ通知手段として利用者が入室したかどうかの通知システムとしてもよい。
【００３４】
たとえば、非接触情報カードを利用し、事務室にて前記非接触情報カードのデータを読取り、通常入室時間帯を入室データ蓄積手段で把握し、例外（遅刻）が発生した場合に、例外者（遅刻者）または事前に決めた通知者（上司）に通知することで、例外者が日常の入室時間を過ぎても入室しない場合、例外者と事前に決めた通知者がお互いに確認をすることができる。
【００３５】
（実施の形態２）
図２は本発明の実施の形態２の通知システムの構成図を示すものである。
【００３６】
図２において、錠前装置１０Ａの施開錠状態を施開錠状態入力手段１４で把握し、施錠から開錠に状態変化があった場合に、一定時間（例えば２分）内に利用者が帰宅時に非接触の情報カードを読取手段１１に読取りさせることで、事前に登録していた利用者が帰宅したかどうかを正確に確認し、一定時間内に非接触情報カードの情報が入力されないまたは異常である場合に正常か異常かを判定して通知する通知システムである。
【００３７】
システムの構成は、充電器１Ｂ内の錠前装置１０Ａの施開錠信号（施錠または開錠を示す信号）を入力する施開錠状態入力手段１４、その施開錠状態と判定手段１２の判定結果とから異常かどうかを判定し通知する異常通知手段１５とから構成される。また、その他の構成は実施の形態１と同じなので説明は省略する。
【００３８】
次に、このような構成の通知システムの動作、作用について図４のフローチャートを用いて説明する。図３と同じステップ番号については実施の形態１と同じなので説明は省略する。
【００３９】
通知システムの動作は、錠前装置１０Ａの施開錠状態を施開錠状態入力手段１４で把握し、施錠から開錠に状態変化があった場合に（フローチャートＳ１１）、一定時間内に判定手段１２からの非接触情報カードの情報判定結果とを比較し（フローチャートＳ１２）、異常通知手段１５で施開錠状態入力手段１４に施錠から開錠へ状態変化後、一定時間内に判定手段１２で正常判定結果が得られない場合（データにエラー（誤り）または欠落、電文のフォーマットが異常になっていないかを電文解析し、事前登録されている登録者データと一致していた場合に正常、不一致またはデータ入力が無いなら異常と判定）に、異常と判定し（フローチャートＳ３）、通信制御装置２Ａを介して宅外の携帯電話８Ａおよびセンター装置７Ａに通知する（フローチャートＳ４、Ｓ１３）。
【００４０】
正常判定時は、その判定結果を機器通信部１３から無線通信４Ａを介して通信制御装置２Ａの機器通信部２１へ送る（フローチャートＳ４）。その後のフローチャートＳ５〜Ｓ１０までの動作、作用については実施の形態１と同じなので説明は省略をする。
【００４１】
ここでは、錠前装置１０Ａの施錠状態を開錠状態にした場合について説明したが、複数台の錠前装置がある場合には、複数台の施開錠信号を直列接続し、いずれかひとつが開錠となった場合に判定手段１２の判定結果と比較するとしても作用、動作は同じである。
【００４２】
なお、本実施の形態で説明した通知システムの構成図（図１、図２）は一例であり、通知システムの機能を実現するものであればこれに限らない。例えば、充電器と通信制御装置とを一体化してもよいし、充電器が備える判定手段を通信制御装置側に備えてもよい。その逆に、通信制御装置が備える登録手段や帰宅データ蓄積手段、帰宅通知手段を充電器側に備える構成としてもよい。
【００４３】
なお、ここでは充電器１Ｂは、内部に読取手段、判定手段、施開錠状態入力手段、異常通知手段、機器通信部を備えているものを説明したが、携帯電話の充電器を携帯電話のスタンド用装置と接続する場合にはスタンド用装置部分に備えても同じである。スタンド用装置とは、携帯電話を充電する際に、容易に携帯電話を置くための装置であって、スタンド用装置に置くだけで携帯電話が充電される。
【００４４】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００４５】
以上のように、本発明は、自宅への入室を通知するものに用いれば、居住者が不在時に家族が帰宅したかどうかを容易に確認することができ、普段の帰宅時間が過ぎても帰宅しない場合には、帰宅していない旨を通知することができる。さらに宅内に非接触の情報カードを持たない侵入者が入った場合に、情報カードの判定が異常となることで侵入者を正確にかつ容易に検出することができる。これは宅内の帰宅履歴管理や防犯をおこなうシステム以外に、ビル、工場のような産業用途の入退管理やセキュリティシステム等の用途にも適用できる。
【図面の簡単な説明】
【００４６】
【図１】本発明の実施の形態１の通知システムの構成図
【図２】本発明の実施の形態２の通知システムの構成図
【図３】本発明の実施の形態１の通知システムのフローチャート
【図４】本発明の実施の形態２の通知システムのフローチャート
【図５】従来の通知システムにおける構成図
【符号の説明】
【００４７】
１Ａ  充電器
３Ａ  ＩＣタグ（非接触情報カード）
１１  読取手段
１２  判定手段
１４  施開錠状態入力手段
１５  異常通知手段
２４  登録手段
２５  帰宅データ蓄積手段（入室データ蓄積手段）
２６  帰宅通知手段（入室通知手段）
２６１  帰宅データ通知手段（入室データ通知手段）
２６２  例外者通知手段
３１  携帯電話
【図１】
2006227860.tif 000003
【図２】
2006227860.tif 000004
【図３】
2006227860.tif 000005
【図４】
2006227860.tif 000006
【図５】
2006227860.tif 000007